(57)【要約】【課題】浸水検知性能の高い浸水検知ケーブルを提供する。【解決手段】浸水検知ケーブル１１は、導体に絶縁体を施した絶縁線心６を複数本撚り合わせてケーブルコア２を形成するとともに、このケーブルコア２上に第一金属テープ１２ａ、第二金属テープ１２ｂを間隙巻きにより巻き付けて浸水検知部１２を形成し、これらの外周にシース５を被覆してなるものである。このような浸水検知ケーブル１１の浸水検知部１２は、第一金属テープ１２ａ、第二金属テープ１２ｂを、テープ同士が重ならないように巻き付けてなっている。【選択図】図１
2007200685.tif 000002
【特許請求の範囲】
【請求項１】
導体に絶縁体を施した絶縁線心を複数本撚り合わせてケーブルコアを形成するとともに、該ケーブルコア上に金属テープを間隙巻きにより巻き付けて浸水検知部を形成し、これらの外周にシースを被覆してなる
ことを特徴とする浸水検知ケーブル。
【請求項２】
請求項１に記載の浸水検知ケーブルにおいて、
前記浸水検知部は二つの前記金属テープをテープ同士が重ならないように巻き付けてなる
ことを特徴とする浸水検知ケーブル。
【発明の詳細な説明】
【技術分野】
【０００１】
本発明は、外部からの水の浸入を検知する機能を有する浸水検知ケーブルに関する。
【背景技術】
【０００２】
従来の浸水検知ケーブルとしては、二本の導体の少なくとも一方に水溶性絶縁被覆を設けた検知線を、ケーブルコア上に長さ方向に添って添設するとともに、これらの外周に所要の被覆を設けてなるものが知られている（例えば特許文献１参照）。以下、この従来の浸水検知ケーブルについて説明する。
【０００３】
図３において、従来の浸水ケーブル１は、ケーブルコア２と、二本の検知線３と、押さえ巻きテープ４と、シース５とを備えて構成されている。ケーブルコア２は、導体に絶縁体を施した絶縁線心６を撚り合わせて対撚り線心７を形成し、この対撚り線心７を複数集合させることによりなっている。二本の検知線３は、ケーブルコア２の外周で対撚り線心７に添うように各々配置されている。検知線３は、導体と、この導体を被覆する絶縁被覆とを備えている。絶縁被覆は、水溶性若しくは複数の穴が開いたものが用いられている。
【０００４】
押さえ巻きテープ４は、ポリエステルテープなどからなるものであって、ケーブルコア２の対撚り線心７と二本の検知線３とをばらけないようにするために備えられている。押さえ巻きテープ４は、重ね巻きによってケーブルコア２と二本の検知線３とを押さえ付けている。シース５は、押出成形によって押さえ巻きテープ４の外周に設けられている。
【特許文献１】特開平６−１８７８４０号公報  （第２−３頁、第１図）
【発明の開示】
【発明が解決しようとする課題】
【０００５】
ケーブルコア２は、対撚り線心７を複数集合させることによりなっていることから、対撚り線心７同士の間に検知線３が入り込み、この検知線３が次第に内部へ落ち込んでしまうという可能性を有している。このような状態になると、ケーブル自体が水に浸ってしまった場合に、浸水検知がし難い、若しくは浸水検知が遅れ、電気通信回路の異常を感知することができないという問題が発生してしまうことになる。
【０００６】
本発明は、上述した事情に鑑みてなされたもので、浸水検知性能の高い浸水検知ケーブルを提供することを課題とする。
【課題を解決するための手段】
【０００７】
上記課題を解決するためになされた請求項１記載の本発明の浸水検知ケーブルは、導体に絶縁体を施した絶縁線心を複数本撚り合わせてケーブルコアを形成するとともに、該ケーブルコア上に金属テープを間隙巻きにより巻き付けて浸水検知部を形成し、これらの外周にシースを被覆してなることを特徴としている。
【０００８】
このような特徴を有する本発明によれば、水の浸入があると金属テープ間がこの浸入した水によって繋がり電気的な導通が得られる。これにより浸水検知部を接続する例えば浸水検知装置が作動する。本発明によれば、ケーブルコアの内部へ落ち込むことのない浸水検知部によって浸水検知が良好となる。また、ケーブルコア上に巻き付く浸水検知部によってシース円周部のどこから水が入り込んでも浸水検知が良好となる。
【０００９】
尚、浸水検知部を備えることにより、ケーブル端末加工作業時に廃棄物が生じる押さえ巻きテープをケーブル構成から削除することができる。本発明における浸水検知部は、押さえ巻きテープの機能を有する。
【００１０】
請求項２記載の本発明の浸水検知ケーブルは、請求項１に記載の浸水検知ケーブルにおいて、前記浸水検知部は二つの前記金属テープをテープ同士が重ならないように巻き付けてなることを特徴としている。
【００１１】
このような特徴を有する本発明によれば、テープ同士が触れて導通が得られてしまうような、言い換えれば水の浸入がなくても導通が得られてしまうようなことが避けられる。
【発明の効果】
【００１２】
請求項１に記載された本発明によれば、浸水検知性能の高い浸水検知ケーブルを提供することができるという効果を奏する。また、請求項２に記載された本発明によれば、信頼性を高めることができるという効果を奏する。
【発明を実施するための最良の形態】
【００１３】
以下、図面を参照しながら説明する。図１は本発明の浸水検知ケーブルの一実施の形態を示す構成図である。また、図２は本発明の浸水検知ケーブルの製造例を示すフローチャートである。尚、従来例と同一の構成部材には同一の符号を付して詳細な説明を省略する。
【００１４】
図１において、引用符号１１は本発明の浸水検知ケーブルを示している。浸水検知ケーブル１１は、ケーブルコア２と、浸水検知部１２と、シース５とを備えて構成されている。ケーブルコア２は、対撚り線心７を複数集合させることによりなっている。シース５は、押出成形によりなっている。ケーブルコア２及びシース５は従来例と同様であり、以下、本発明の要旨である浸水検知部１２について説明する。
【００１５】
浸水検知部１２は、二つの金属テープを、このテープ同士が重ならないようにケーブルコア２上に巻き付けてなっている。ここで、二つの金属テープを第一金属テープ１２ａ、第二金属テープ１２ｂとすると、これら第一金属テープ１２ａ、第二金属テープ１２ｂは、各々独立してケーブルコア２上に巻き付けられている。第一金属テープ１２ａ、第二金属テープ１２ｂは、間隙巻き（重ならないテープ巻き方法）により巻き付けられている。
【００１６】
第一金属テープ１２ａ、第二金属テープ１２ｂは、導電率のよい金属テープが用いられている。具体的には、アルミテープや銅テープ等が一例として挙げられる。厚み及び幅は特に限定するものではないが、一例を挙げると、０．１ｍｍ厚、６ｍｍ幅が挙げられるものとする。巻き付けピッチも特に限定するものではないが、テープ同士が重ならなければよく、テープ同士間に水が存在すると導通が得られるピッチで、約４０ｍｍピッチが一例として挙げられるものとする。巻き付けピッチは、シース５の円周部のどこから水が入り込んでも電気的な導通が得られるように設定されている。第一金属テープ１２ａ、第二金属テープ１２ｂに関し、ケーブルコア２に対して張り付くための接着層の設定は任意であるものとする。また、他の層の設定も任意であるものとする。
【００１７】
第一金属テープ１２ａ、第二金属テープ１２ｂの各端部は、水の浸入を検知するための浸水検知装置１３の入力部に半田付け等で接続されている。浸水検知装置１３は、第一金属テープ１２ａ、第二金属テープ１２ｂ同士間に水が存在して電気的な導通が得られると、警報等を出すように構成されている（一例であるものとする）。
【００１８】
次に、図２を参照しながら本発明の浸水検知ケーブル１１の製造について説明する。浸水検知ケーブル１１は、個撚り工程と、本撚り・浸水検知部形成工程と、シース押出工程とを順に経て製造される。
【００１９】
個撚り工程では、対撚り線心７が形成される。本撚り・浸水検知部形成工程では、同一ラインで連続的に本撚りと浸水検知部１２の形成とが行われる。本撚りは、対撚り線心７を複数集合させてケーブルコア２を形成する工程で、この形成されたケーブルコア２上に第一金属テープ１２ａ、第二金属テープ１２ｂを間隙巻きにより巻き付けると、浸水検知部１２の形成が完了する。浸水検知部１２の形成によって、ケーブルコア２はこのばらけが防止される。シース押出工程では、押出成形機によりケーブルコア２及び浸水検知部１２の外周にシース５が被覆形成される。シース５が被覆形成されると、一連の製造工程が完了する。
【００２０】
以上、本発明によれば、ケーブルコア２の内部へ落ち込むことのない浸水検知部１２によって浸水検知を良好に行うことができる。従って、本発明によれば、浸水検知性能の高い浸水検知ケーブル１１を提供することができるという効果を奏する。
【００２１】
その他、本発明は本発明の主旨を変えない範囲で種々変更実施可能なことは勿論である。
【図面の簡単な説明】
【００２２】
【図１】本発明の浸水検知ケーブルの一実施の形態を示す構成図である。
【図２】本発明の浸水検知ケーブルの製造例を示すフローチャートである。
【図３】従来例の浸水検知ケーブルの構成図である。
【符号の説明】
【００２３】
２  ケーブルコア
５  シース
６  絶縁線心
７  対撚り線心
１１  浸水検知ケーブル
１２  浸水検知部
１２ａ  第一金属テープ
１２ｂ  第二金属テープ
１３  浸水検知装置
【図１】
2007200685.tif 000003
【図２】
2007200685.tif 000004
【図３】
2007200685.tif 000005